(57)【要約】【課題】蓄積するイメージを事前に確認し、その修正を容易に行うことが可能な画像処理装置を提供する。【解決手段】原稿画像を読み取ってメモリ１２に蓄積する画像蓄積機能を有する画像処理装置において、メモリ１２に蓄積する画像を操作手段１９−１に表示させる制御を行う制御手段１１を備えた。【選択図】　　　図１
2004072481.tif 000002
【特許請求の範囲】
【請求項１】
原稿画像を読み取ってメモリに蓄積する画像蓄積機能を有する画像処理装置において、
前記原稿画像を表示する表示手段と、読み取り条件の変更を指示する読み取り条件変更手段と、を備え、
前記表示手段に表示された原稿画像に基づいて、前記メモリに蓄積する画像を前記読み取り条件変更手段により破棄するか否かを選択可能としたことを特徴とする画像処理装置。
【請求項２】
請求項１記載の画像処理装置において、前記読み取り条件変更手段により前記表示手段に表示された原稿画像が破棄された場合、前記表示手段は条件設定入力メニューを表示するように制御されることを特徴とする画像処理装置。
【請求項３】
請求項１記載の画像処理装置において、前記表示手段に表示される原稿画像は、該原稿画像のイメージを所定のサイズに拡大、若しくは縮小の何れかに切替え可能なサイズ切替え手段を備えたことを特徴とする画像処理装置。
【請求項４】
請求項３記載の画像処理装置において、前記サイズ切替え手段を拡大にした場合、前記表示手段に表示される原稿画像を、上下左右に移動可能とすることを特徴とする画像処理装置。
【請求項５】
請求項１記載の画像処理装置において、前記表示手段に表示された原稿画像が複数のページにより構成されている場合、前記表示手段に表示された現ページの前後のページに切替え可能なページ切替え手段を更に備えたことを特徴とする画像処理装置。
【請求項６】
請求項５に記載の画像処理装置において、前記ページ切替え手段は、前記表示手段に表示した切り替えページが不要な場合は、該ページを削除するページ削除手段を更に備えていることを特徴とする画像処理装置。
【請求項７】
請求項１記載の画像処理装置において、前記読み取り条件変更手段により前記表示手段に表示された原稿画像が破棄された場合、前記表示手段は条件設定入力メニューを表示し、該条件設定入力メニューに基づいて前記読み取り条件変更手段により読み取り条件を設定して、該条件により再び画像処理を行うように制御されることを特徴とする画像処理装置。
【発明の詳細な説明】
【０００１】
【発明の属する技術分野】
本発明は、スキャナ蓄積機能を有するデジタル方式の複合機の画像入力処理方法に関するものである。
【０００２】
【従来の技術】
デジタル方式の画像処理装置は、スキャナで読み取った画像（イメージ）を内部のメモリに蓄積する機能を有し、そのメモリ内の画像を後処理により加工して読み取り画像に含まれるノイズや不要な画像を除去したりする画像処理については多くの技術が公開されている。また、異なるイメージの画像を合成して新規な画像を生成する画像合成技術もあるが、設備が大きくなりスタンドアローンとしての複合機に搭載するには規模が大きすぎる等の難点がある。
【０００３】
【発明が解決しようとする課題】
前記のように、画像処理技術を搭載した複合機は多く存在するが、複合機に搭載する従来の画像処理装置においては、イメージを蓄積する前にそのイメージを確認することができず、また、イメージの修正が困難であるといった問題がある。
本発明は、蓄積するイメージを事前に確認し、その修正を容易に行うことが可能な画像処理装置を提供することを目的とするものである。
【０００４】
【課題を解決するための手段】
上記目的を達成するために、請求項１記載の発明は、原稿画像を読み取ってメモリに蓄積する画像蓄積機能を有する画像処理装置において、前記原稿画像を表示する表示手段と、読み取り条件の変更を指示する読み取り条件変更手段と、を備え、前記表示手段に表示された原稿画像に基づいて、前記メモリに蓄積する画像を前記読み取り条件変更手段により破棄するか否かを選択可能としたことを特徴とする。
請求項２記載の発明は、請求項１記載の画像処理装置において、前記読み取り条件変更手段により前記表示手段に表示された原稿画像が破棄された場合、前記表示手段は条件設定入力メニューを表示するように制御されることを特徴とする。
請求項３記載の発明は、請求項１記載の画像処理装置において、前記表示手段に表示される原稿画像は、該原稿画像のイメージを所定のサイズに拡大、若しくは縮小の何れかに切替え可能なサイズ切替え手段を備えたことを特徴とする。
請求項４記載の発明は、請求項３記載の画像処理装置において、前記サイズ切替え手段を拡大にした場合、前記表示手段に表示される原稿画像を、上下左右に移動可能とすることを特徴とする。
請求項５記載の発明は、請求項１記載の画像処理装置において、前記表示手段に表示された原稿画像が複数のページにより構成されている場合、前記表示手段に表示された現ページの前後のページに切替え可能なページ切替え手段を更に備えたことを特徴とする。
請求項６記載の発明は、請求項５に記載の画像処理装置において、前記ページ切替え手段は、前記表示手段に表示した切り替えページが不要な場合は、該ページを削除するページ削除手段を更に備えていることを特徴とする。
請求項７記載の発明は、請求項１記載の画像処理装置において、前記読み取り条件変更手段により前記表示手段に表示された原稿画像が破棄された場合、前記表示手段は条件設定入力メニューを表示し、該条件設定入力メニューに基づいて前記読み取り条件変更手段により読み取り条件を設定して、該条件により再び画像処理を行うように制御されることを特徴とする。
【０００５】
【発明の実施の形態】
以下、図面により本発明の実施の形態を詳細に説明する。
図１は本発明の実施形態に係る画像処理装置の機能ブロック図である。本画像処理装置１は、サーバー２、クライアント３とネットワーク４を介して接続され、全体としてネットワーク画像処理システムを構築している。
画像処理装置１は、本装置全体を制御する制御部１１、制御のためのプログラムや制御に必要な種々のデータを記憶しているメモリ１２、紙への画像印刷動作を制御するプロッタ制御部１３、原稿の画像読み取り動作を制御するスキャナ制御部１４、画像のＦＡＸ通信規格に合わせた送信、受信の制御を行うＦＡＸ処理部１５、読み取ったイメージの画像処理を行う画像処理部１６、画像イメージ等を内蔵ハードディスクに保存蓄積制御するＬＳ制御部１７、ネットワーク４と接続され通信を制御する外部Ｉ／Ｆ１８、オペレータによる操作を入力するとともに情報をオペレータに伝える操作部１９から構成されており、これら各部はバス２０により接続されている。
図２は図１に示す制御部のソフト構成を示すブロック図である。各種のアプリ（モジュール）２１と、各種のサービス（モジュール）２２と、ＯＳ２３と、デバイスドライバ２４とから構成されている。
【０００６】
図３、図４は操作部の操作パネルにおける表示例を示す図、図５は本発明の第１の制御例を示すフローチャートである。画像イメージの蓄積機能において、図５のフローに示すように、オペレータが原稿をセットし（Ｓ１）、読み取り条件を設定入力し（Ｓ２）、蓄積設定を入力し（Ｓ３）、文書名等その他の条件入力を完了し（Ｓ４）、操作部１９の図示しないスタートボタンを押すと（Ｓ５）、装置は原稿の読み取り動作を行い、そのイメージを作成し、そのイメージを操作パネル１９−１に例えば図４のように表示する（Ｓ６）。
そこでオペレータはイメージを確認して問題がなければＯＫボタン１９ａを押し、読み取り条件の変更が必要な場合にはキャンセルボタン１９ｂを押下する（Ｓ７）。装置は、ＯＫの場合そのイメージの蓄積処理を実行し（Ｓ８）、キャンセルの場合にはイメージを破棄して初期状態に戻る。
ここで、操作パネル１９−１に表示したイメージを拡大／縮小表示に切り替えることができる。また、操作パネル１９−１にイメージを拡大表示した場合に、表示エリアを上下左右に移動操作可能とした。また、操作パネル１９−１にイメージを表示した場合に、複数ページが有るとき次ページ、前ページに表示を切り替えられるようにした。さらに、操作パネル１９−１に複数ページを切り替え表示した場合に、不要なページがあったときにはそのページを削除することが可能である。
【０００７】
図６は本発明の第２の制御例を示すフローチャートである。第２の制御例では、イメージ確認でキャンセルボタン１９ｂが押された場合には（Ｓ７でＮ）初期画面に戻るのではなく、読み取り条件設定入力のメニューに移行する（Ｓ３）。それ以外は第１の制御例と同じであるので、同じ構成要素には同じ参照番号が付されているので、重複する説明は省略する。。
図７は本発明の第３の制御例を示すフローチャートである。第３の制御例では、ステップＳ２１〜Ｓ２７において第１の制御例と同じ処理が行われるが、Ｓ２７とＳ３２の間に以下の制御が追加されている。
即ち、イメージ確認でキャンセルボタン１９ｂが押された場合には（Ｓ２７でＮ）読み取り条件に設定メニューを表示して（Ｓ２８）、条件が変更入力されると（Ｓ２９）、メモリ１２に予め蓄積していた画像処理前のイメージに対して、変更入力された読み取り条件で再画像処理を行い、その結果を操作パネル１９−１に表示する（Ｓ３０）。そして変更したイメージで良いか判断する（Ｓ３１）。
【０００８】
【発明の効果】
以上説明したように、本発明によれば、画像をメモリに蓄積する前にその画像を操作手段で確認することができる。また、画像を確認できた場合に、その修正を、読み取り条件変更入力設定などにより容易に行うことができ、使い勝手に優れた画像処理装置を提供することができる。
【図面の簡単な説明】
【図１】本発明の実施形態に係る画像処理装置の機能ブロック図である。
【図２】図１に示す制御部のソフト構成を示すブロック図である。
【図３】操作部の操作パネルにおける表示例を示す図である。
【図４】操作部の操作パネルにおける表示例を示す図である。
【図５】本発明の第１の制御例を示すフローチャートである。
【図６】本発明の第２の制御例を示すフローチャートである。
【図７】本発明の第３の制御例を示すフローチャートである。
【符号の説明】
１１　制御部（制御手段）、１２　メモリ、１９　操作部、１９−１　操作パネル（操作手段）
【図１】
2004072481.tif 000003
【図２】
2004072481.tif 000004
【図３】
2004072481.tif 000005
【図４】
2004072481.tif 000006
【図５】
2004072481.tif 000007
【図６】
2004072481.tif 000008
【図７】
2004072481.tif 000009